(57)【特許請求の範囲】
【請求項１】
回転ブラシ、この回転ブラシを駆動する駆動モータとを備える吸口本体と、前記吸口本体を形成する吸口下ケース、および吸口上ケースと、前記吸口下ケースに設けられ前記回転ブラシを収納する回転ブラシ室と、この回転ブラシ室の下面側から前面側にかけて設けた吸込口とを有し、
前記吸口上ケースは、窓穴を有し、
前記窓穴に窓板が取り付けられ、
前記吸口下ケースは、前記回転ブラシ室の天井部に回転ブラシ室の長手方向に延在する窓開口を有し、
前記回転ブラシ室の天井部は、前記窓開口の前側縁枠部と、前記窓開口の後側縁枠部とを有し、前記前側縁枠部と前記後側縁枠部に架ける補強架部を設けたことを特徴とする電気掃除機用吸込具。
【請求項２】
請求項１記載の電気掃除機用吸込具において、
前記補強架部を前記前側縁枠部の中央に二つ間隔を離して設け、かつ前記後側縁枠部に
向けて間隔が大きくなるように配置したことを特徴とする電気掃除機用吸込具。
【請求項３】
請求項１記載の電気掃除機用吸込具において、
前記補強架部に上向きの立つ補強リブを設けたことを特徴とする電気掃除機用吸込具。
【請求項４】
請求項１記載の電気掃除機用吸込具において、
前記回転ブラシ室の内側にＬＥＤを含む発光素子を備えたことを特徴とする電気掃除機
用吸込具。
【請求項５】
請求項１から４の何れかに記載された電気掃除機用吸込具において、
前記窓穴は前記吸口上ケースの長手方向に延在することを特徴とする電気掃除機用吸込具。
【請求項６】
請求項１から５の何れかに記載された電気掃除機用吸込具において、
前記後側縁枠部は前記回転ブラシ室の後側壁の上側に連なるように形成されることを特徴とする電気掃除機用吸込具。
【発明の詳細な説明】
【技術分野】
【０００１】
本発明は、電気掃除機用吸込具に関し、更に詳しくは壁際の塵埃の吸塵能力が高い電気掃除機用吸込具の改良に係わるものである。
【背景技術】
【０００２】
この種の電気掃除機用吸込具は、例えば、特開２００４−２２２９１２号公報（特許文献１）に示される。
【０００３】
この電気掃除機用吸込具は、回転ブラシ、この回転ブラシを駆動する駆動モータとを備える吸口本体と、前記吸口本体を形成する吸口下ケース、および吸口上ケースと、前記吸口下ケースに設けられ、前記回転ブラシを収納する回転ブラシ室と、この回転ブラシ室の下面側から前面側にかけて設けた吸込口とを有する。
【０００４】
また、上記特許文献１に示されていないが、回転ブラシ室の天井部に、回転ブラシ室の長手方向に延在する窓開口を設けた構成の電気掃除機用吸込具が存在する。
【０００５】
【特許文献１】特開２００４−２２２９１２号公報
【発明の開示】
【発明が解決しようとする課題】
【０００６】
上記の窓開口を有する電気掃除機用吸込具は、窓開口の前側に前側縁枠部を有する。この前側縁枠部は、撓みやすく、強度の面でも十分なものではなかった。
【０００７】
本発明は、上記の問題に対処し、撓み難く、機械的な強度の強い電気掃除機用吸込具を提供することを目的とする。
【課題を解決するための手段】
【０００８】
本発明は、回転ブラシ、この回転ブラシを駆動する駆動モータとを備える吸口本体と、吸口本体を形成する吸口下ケース、および吸口上ケースと、吸口下ケースに設けられ、回転ブラシを収納する回転ブラシ室と、この回転ブラシ室の下面側から前面側にかけて設けた吸込口とを有し、回転ブラシ室の天井部は、回転ブラシ室の長手方向に延在する窓開口と、この窓開口の前側縁枠部と、窓開口の後側縁枠部とを有し、かつ前側縁枠部と後側縁枠部に架ける補強架部を設けたことを特徴とする。
【発明の効果】
【０００９】
本発明によれば、補強架部の補強により、前側縁枠部は撓み難く、機械的強度の強い電気掃除機用吸込具を提供できる。
【発明を実施するための最良の形態】
【００１０】
本発明の実施例について、図面を引用して説明する。
【００１１】
まず、図１〜図４に沿って電気掃除機用吸込具の概要から述べる。
【００１２】
吸口本体１は、吸込口２と、回転ブラシ３と、回転ブラシ３を駆動する駆動モータ４と、回動自在なる自在継手管５と、バンパー６と、後側ブラシ７を有する。
【００１３】
吸口本体１は、吸口下ケース８と吸口上ケース９により形成される。吸口下ケース８と吸口上ケース９は合成樹脂で形成される。
【００１４】
吸口下ケース８は、図５〜図８に示すように、回転ブラシ３が収まる回転ブラシ室２０を有する。吸込口２は、吸口下ケース８の下面側から前面側にかけて形成される。吸口下ケース８の下面側と前面側は、回転ブラシ室２０の下面側と前面側でもある。このため、吸込口２は、回転ブラシ室２０の下面側から前面側に形成されていることにもなる。
【００１５】
吸口下ケース８は、回転ブラシ室２０を形成する後側壁２１の裏側に駆動モータ４を収めるモータ室２２を有する。モータ室２２の右隣りの細長溝２３には、回転ブラシ３に回転を伝える伝達回転軸２４が置かれる。
【００１６】
モータ室２２の左隣りの細長溝２５には、駆動モータ４の運転を制御する制御基板等（図示せず）が収納される。
【００１７】
伝達回転軸２４は、図４、図５に示すように、先端に伝達歯車２６を有する。この伝達歯車２６と、回転ブラシ３のブラシ歯車２７に掛けたベルト２８を介して駆動モータ４の回転が回転ブラシ３に伝達される。
【００１８】
回転ブラシ３は、両端側に軸受４０、４１を有する。軸受４０は、吸口下ケース８は、左端下面に取り付ける軸受支持部材４２に支持される。軸受４１は、吸口下ケース８は、右端下面に取り付ける軸受支持部材４３に支持される。
【００１９】
軸受支持部材４２、軸受支持部材４３は、下面に橇を有する。電気掃除機用吸込具掃除は橇により滑るので、掃除がし易い。橇に起毛を設けることにより、更に滑り易く、かつ消音効果が高まる。
【００２０】
モータカバー４４は、駆動モータ４に被せるようにして吸口下ケース８に取り付けられる。モータカバー４４の上面は通気路になる。
【００２１】
吸口上ケース９は、図４、図５に示すように後側に継手接続部４５を有する。吸口上ケース９は、継手接続部４５をモータカバー４４に被せるようにして吸口下ケース８に取り付けられる。継手接続部４５の内部とモータカバー４４の上面により通気路が構成される。吸込口２から吸い込まれた塵埃を含む空気は、その通気路を通って自在継手管５に流れる。
【００２２】
自在継手管５は、流入口４６が形成される先端部４７を有する。先端部４７の両側に軸部４８が設けられる。この軸部４８が、モータカバー４４に設けた下軸受台４９と継手接続部４５の内部に設けた上軸受台（図示せず）とに回動自在に支持される。これにより、自在継手管５は、上下方向の回動ができるように、吸口本体１に連結される。
【００２３】
吸口上ケース９は、図４、図６に示すように、長手方向に延在する窓穴６０を有する。この窓穴６０に透明の窓板６１が取り付けられる。吸口上ケース９は、前端に嵌合突起６２を有する。
【００２４】
吸口下ケース８は、回転ブラシ室２０の天井部に長手方向に延在する窓開口６３を有する。さらに天井部は、窓開口６３の前側に前側縁枠部６４を、後側に後側縁枠部６８を有する。後側縁枠部６８は、回転ブラシ室２０の後側壁２１の上側に連なるように形成される。
【００２５】
前側縁枠部６４は、前端に嵌合凹部６５を有する。吸口上ケース９を吸口下ケース８に組み合わせると、吸口下ケース８の嵌合凹部６５に吸口上ケース９の嵌合突起６２が嵌まる。この嵌合凹部６５と嵌合突起６２の嵌合により、吸口上ケース９と吸口下ケース８は、横方向にずれない、丈夫な組み合わせ構造になる。
【００２６】
補強架部６６は、図４、図５に示すように、前側縁枠部６４と後側縁枠部６８に架けるように設けられる。前側縁枠部６４は窓開口６３に沿って長く延びているので、吸口上ケース９の上から押されると容易に撓む。
【００２７】
しかし、前側縁枠部６４は補強架部６６により梁のように支持されるので、吸口上ケース９の上から押されても容易に撓まない。補強架部６６を後側縁枠部６８から前側縁枠部６４に架ける簡単な構成により、機械的強度の強い構造が提供されるのである。
【００２８】
後側縁枠部６８は後側壁２１で支持されているので、機械的強度は高く丈夫である。この丈夫な後側縁枠部６８から架けられる補強架部６６で、前側縁枠部６４を支持するので、吸口上ケース９の上から押される力に十分耐える丈夫な構造である。
【００２９】
また、補強架部６６は、両端に上向きの立つ補強リブ６７を有する。補強リブ６７により、補強架部６６は丈夫になる。補強リブ６７は下向きにしないで、上向きにしたので回転ブラシ３の回転中に補強リブ６７との接触が少なくなる。回転ブラシ３の回転の妨げが軽減される。
【００３０】
さらに、補強架部６６は、前側縁枠部６４の長さ方向の中央に二つ設けている。二つの補強架部６６は、後側縁枠部６８に向けて間隔が大きくなるように配置した。前側縁枠部６４は長さ方向の中央が撓み易いので、中央を補強架部６６で支持するようにした。
【００３１】
前側縁枠部６４、および後側縁枠部６８の中央は、前記通気路に流通する空気の出口でもある。回転ブラシ室２０から通気路に向けて空気が円滑に流れ出るように二つの補強架部６６の間隔を離して設けた。そして、後側縁枠部６８に向けて間隔が大きくなるようにすることにより、空気の流出がより円滑に行なわれるのである。
【００３２】
前側縁枠部６４の補強と円滑な空気の流れを考慮して二つの補強架部６６の間隔を離し、かつ後側縁枠部６８に向けて間隔が大きくなるようにしたのである。
【００３３】
この電気掃除機用吸込具は、回転ブラシ室２０内の回転ブラシ３が吸口上ケース９の上側から見える。図５に示すように、後側壁２１には、回転ブラシ室２０の内面側にＬＥＤを含む発光素子６９を設けた。
【００３４】
この発光素子６９の明かりで、回転ブラシ３や回転ブラシ室２０が良く見えるようになった。その明かりは、家具類の下方の暗いところの多少明るくするので、掃除がしやすくなった。
【００３５】
走行ローラについて説明する。
【００３６】
走行ローラ８０は、図３、図７、図８に示すように、吸口本体１の下面に備わる。走行ローラ８０は電気掃除機用吸込具の走行を良くする。ローラ８０は外周に起毛を有する。起毛は、フローリング掃除の消音効果（ゴロゴロ音の消音）が高まる。
【００３７】
走行ローラ８０は、図７、図８に示されるように、吸口下ケース８に回転自在に支持される。走行ローラ８０は、回転ブラシ室２０の下方に設けられる吸込口２の口縁後側に隣接して設ける。
【００３８】
走行ローラ８０の外周が吸込口２内に臨むように走行ローラ８０は置かれる。このため、走行ローラ８０の外周が回転ブラシ３のブラシ先端と接触する状態になる。掃除中に、走行回転する走行ローラ８０は、外周が回転する回転ブラシ３で良くブラッシングされ、付着ごみが良く掻き落とされる。
【００３９】
ごみが付着しやすい起毛の走行ローラ８０でも、回転ブラシ３のブラッシングにより、付着ごみの掻き落しが良く行なわれる。
【００４０】
走行ローラ８０を吸込口２の後側に配置することにより、吸口下ケース８の前面側にも吸込口２を設けることができる。吸込口２が吸口下ケース８の下面側から前面側にかけて設けられるので、吸口本体１の前側に回転ブラシ３を寄せて設けることができる。このため、回転ブラシ３のブラシ先端側は、吸口本体１の前側に突き出る。
【００４１】
これにより、壁際の掃除に際し、回転ブラシ３のブラシ先端が隅部にも達するため、壁際の掃除が良く行なわれる。
【００４２】
回転ブラシ３のブラシには、ナノチタンを塗布する。ナノチタンを施すことにより、細塵の吸着が良く行なわれる。
【００４３】
後部走行ローラ９５は、吸口下ケース８の下面後部に備えられる。電気掃除機用吸込具は、前側が軸受支持部材４２、４３の橇、中間の走行ローラ８０、後部の後部走行ローラ９５で床上に支持されるので、安定した走行が行なわれる。
【００４４】
スイッチ車輪９６は、吸口下ケース８の下面に設けられる。電気掃除機用吸込具が床上に置かれると、スイッチ車輪９６が押されて、マイクロスイッチ（図示せず）がオン作動し、駆動モータ４の駆動が行なわれる。電気掃除機用吸込具を床上から浮かせると、マイクロスイッチがオフ作動し、駆動モータ４は停止する。
【００４５】
バンパー、およびシャッタについて説明する。
【００４６】
バンパー６は、図１、図４、図７〜図９に示すように、吸口本体１の周りに装着する。バンパー６は、合成樹脂、合成ゴム等の可撓性を有する素材で形成する。
【００４７】
バンパー６は、吸口下ケース８と吸口上ケース９の上下合わせ面を周りから巻くように取り付けられ、吸口本体１の前側、側面側、後側の角近傍の範囲に及ぶ。バンパー６のクッション作用により、掃除中に吸口本体１が家具類に当たっても電気掃除機用吸込具自体の破損や家具類の損傷が防がれる。
【００４８】
吸口下ケース８は、図５に示すように、前側が切り欠かれて吸込口２を有する。吸込口２は、バンパー６で一部が塞がる。バンパー６の下端は、図９に示すように、吸口下ケース８の下面よりＨ３（約１５ｍｍ）上がったところに位置する。
【００４９】
バンパー６の下端より下の吸込口２は、バンパー６の下に垂下するシャッタ８１で塞がる。シャッタ８１の下端は吸口下ケース８の下面よりＨ１（約２ｍｍ）上がったところに位置する。シャッタ８１は、下端が波形をしている。波の高さは、Ｈ２（約６ｍｍ）である。
【００５０】
シャッタ８１の下端をＨ１（約２ｍｍ）上げたのは、絨毯掃除での電気掃除機用吸込具の沈み込みを見込んだ。約２ｍｍ程度下がってシャッタ８１の下端が絨毯掃除面に接するようになる。
【００５１】
シャッタ８１の下端を波形にしたのは、電気掃除機用吸込具を前に移動させる通常の掃除での吸い込み向上にある。シャッタ８１の下端を波形することにより、波間の開口から前側の吸い込み良く行なわれ、前側の吸い込が向上するのである。
【００５２】
シャッタ８１は、合成樹脂、合成ゴム等の可撓性を有する素材で形成する。シャッタ８１は、図１０〜図１３に示すように、バンパー６の内側に張り合わせるように取り付けられる。シャッタ８は、バンパー６と同様な可撓性を有する素材で形成されるので、バンパー６と一体成形することもできる。一体成形により、シャッタ８１の張り合わせが不要になる。
【００５３】
シャッタ８１は、下部８２と上部８３を有する。下部８２はシャッタとして機能する。図１２、図１３、図１５、図１６に示すように、波形部は下部８２に設けられ、バンパー６よりも厚みが薄く、下側になるにしたがって先細になっている。これにより、シャッタ８１は撓みやすく、吸い込みが良く行なわれる。
【００５４】
上部８３は、図１４、図１５、図１６に示すように、二段になっている。下段部８４は、横並びに複数の差込孔８５を有する。下段部８４は、内面側に差込孔８５に連なる係合凹部８６を有する。
【００５５】
上段部８７は、張り合わさる面に、横に並ぶ複数の嵌合凹み８８を有する。上段部８７は、上端に横向きに突き出す複数の係止突起８９を有する。
【００５６】
バンパー６は、図１０、図１１、図１３に示すように、下端に係合片１００を有する。バンパー６は、上側に差込溝孔１０１を有する。バンパー６は、内面側に凸部１０２を有する。
【００５７】
シャッタ８１は、図１２、図１３に示すように、バンパー６の内側に張り合わされる。バンパー６の差込溝孔１０１にシャッタ８１の係止突起８９が差し込まれる。バンパー６の係合片１００が差込孔８５に差し込まれ、係合凹部８６内に嵌る。バンパー６の凸部１０２がシャッタ８１の嵌合凹み８８に嵌る。
【００５８】
このようにバンパー６とシャッタ８１は、嵌合や係合により確りした結合の張り合わせになるので、結合が容易に外れない。
【００５９】
また、バンパー６とシャッタ８１が撓んでも、確りした結合になっているので、バンパー６とシャッタ８１に剥れが生じず、回転ブラシ３の回転の妨げを来たさない。
【００６０】
壁際の掃除では、図８に示すように、バンパー６が壁１０３に押されて内向きに撓むので、回転ブラシ３は壁１０３に近づく。壁際の隅に回転ブラシ３のブラシ先端が達し、隅部を良くブラッシングするので、壁際の隅のごみが良くとれる。
【００６１】
また、前面側の吸込口２がシャッタ８１で塞がれる分、後側からの吸い込みが強まる。電気掃除機用吸込具を後退させる掃除ではシャッタ８１を設けないものに比べ、ごみの吸い込みが良くなった。
【００６２】
また、バンパー６にシャッタ８１を設けたので、吸口下ケースにシャッタを設けるものに比べ、回転ブラシ３が壁により接近するようになる。このため、壁際の隅部の掃除は、バンパー６にシャッタ８１を設けた方が、吸口下ケースにシャッタを設けるものよりも良く行なわれる。
【００６３】
上述したようにバンパー６の下方に垂下する可撓性のシャッタ８１を吸口本体１の前面に設ける簡単な構成にすることにより、壁際の掃除はもちろん、電気掃除機用吸込具を前進・後退させる掃除でも塵埃の吸い込みが良く行われる。
【図面の簡単な説明】
【００６４】
【図１】本発明の実施例に係わるもので、電気掃除機用吸込具の外観斜視図。
【図２】本発明の実施例に係わるもので、電気掃除機用吸込具の平面図。
【図３】本発明の実施例に係わるもので、電気掃除機用吸込具の底面図。
【図４】本発明の実施例に係わるもので、電気掃除機用吸込具の分解斜視図。
【図５】本発明の実施例に係わるもので、吸口下ケースを上から見た斜視図。
【図６】本発明の実施例に係わるもので、吸口上ケースを上から見た斜視図。
【図７】本発明の実施例に係わるもので、図３のＡ−Ａの縦断面図。
【図８】本発明の実施例に係わるもので、電気掃除機用吸込具を壁面に押しつけた状態を示す図。
【図９】本発明の実施例に係わるもので、電気掃除機用吸込具の正面図。
【図１０】本発明の実施例に係わるもので、バンパーとシャッタを分解して示した斜視図。
【図１１】本発明の実施例に係わるもので、シャッタが取り付けられたバンパーを内側から見た斜視図。
【図１２】本発明の実施例に係わるもので、図１１のＡ−Ａ断面図。
【図１３】本発明の実施例に係わるもので、図１１のＢ−Ｂ断面図。
【図１４】本発明の実施例に係わるもので、シャッタ単体を前側から見た斜視図。
【図１５】本発明の実施例に係わるもので、図１４のＡ−Ａ断面図。
【図１６】本発明の実施例に係わるもので、図１４のＢ−Ｂ断面図。
【符号の説明】
【００６５】
３…回転ブラシ、４…駆動モータ、１…吸口本体、８…吸口下ケース、９…吸口上ケース、２０…回転ブラシ室、２…吸込口、６３…窓開口、６４…前側縁枠部、６８…後側縁枠部、６６…補強架部。
【図１】
0004464322.tif 000002
【図２】
0004464322.tif 000003
【図３】
0004464322.tif 000004
【図４】
0004464322.tif 000005
【図５】
0004464322.tif 000006
【図６】
0004464322.tif 000007
【図７】
0004464322.tif 000008
【図８】
0004464322.tif 000009
【図９】
0004464322.tif 000010
【図１０】
0004464322.tif 000011
【図１１】
0004464322.tif 000012
【図１２】
0004464322.tif 000013
【図１３】
0004464322.tif 000014
【図１４】
0004464322.tif 000015
【図１５】
0004464322.tif 000016
【図１６】
0004464322.tif 000017